(57)【要約】【課題】シールドシェルとシールド部材との間の防水処理を容易に行うことができ、且つシールドシェルとシールド部材との接触信頼性を確保することができるシールドコネクタを提供する。【解決手段】円筒部３を有するシールドシェル５と、円筒部３に配置される円筒状のシールド部材７とを備えたシールドコネクタ１において、円筒部３に、内周側にシールド部材７を挿入し、シールド部材７の端末部を、円筒部３と円筒部３に挿入される押圧部材９との間に狭持固定させた。【選択図】図２
2014099339.tif 000002
【特許請求の範囲】
【請求項１】
円筒部を有するシールドシェルと、前記円筒部に配置される円筒状のシールド部材とを備えたシールドコネクタであって、
前記円筒部には、内周側に前記シールド部材が挿入され、前記シールド部材の端末部は、前記円筒部と前記円筒部に挿入される押圧部材との間に狭持固定されていることを特徴とするシールドコネクタ。
【請求項２】
請求項１記載のシールドコネクタであって、
前記押圧部材は、前記シールド部材の端末部を外周側に向けて折り返された折返部に配置されていることを特徴とするシールドコネクタ。
【請求項３】
請求項２記載のシールドコネクタであって、
前記シールド部材の外周には、前記円筒部の内周に固定される固定部材が配置され、前記押圧部材は、前記固定部材によって押圧され前記シールド部材を前記円筒部側に押圧することを特徴とするシールドコネクタ。
【発明の詳細な説明】
【技術分野】
【０００１】
本発明は、シールドコネクタに関する。
【背景技術】
【０００２】
従来、シールドコネクタとしては、円筒部を有するシールドシェルとしての金属ハウジングと、円筒部に配置される円筒状のシールド部材とを備えたものが知られている（例えば、特許文献１参照）。
【０００３】
このシールドコネクタでは、端子ハウジングの外周にシールド部材を被せ、このシールド部材の外周を金属ハウジングの円筒部で覆い、金属ハウジングをシールドケースにボルト締めしている。
【０００４】
このような金属ハウジングのシールドケースへのボルト締めにより、シールド部材の先端部が端子ハウジングと金属ハウジングとで挟圧され、シールド部材が保持される。
【先行技術文献】
【特許文献】
【０００５】
【特許文献１】特開２００８−２３５１９０号公報
【発明の概要】
【発明が解決しようとする課題】
【０００６】
しかしながら、上記特許文献１のようなシールドコネクタでは、シールド部材の端末部が端子ハウジングとシールドシェルとしての金属ハウジングとで挟持された構造であるので、シールドシェルとシールド部材との接触部に隙間が形成され易く、防水処理が困難であった。
【０００７】
加えて、シールド部材は、シールドシェルのシールドケースへのボルト締めによって保持されるので、シールドシェルとシールド部材との接触信頼性が間接的な他の箇所におけるボルト締めによって管理されており、接触信頼性を確保することが困難であった。
【０００８】
そこで、この発明は、シールドシェルとシールド部材との間の防水処理を容易に行うことができ、且つシールドシェルとシールド部材との接触信頼性を確保することができるシールドコネクタの提供を目的としている。
【課題を解決するための手段】
【０００９】
請求項１記載の発明は、円筒部を有するシールドシェルと、前記円筒部に配置される円筒状のシールド部材とを備えたシールドコネクタであって、前記円筒部には、内周側に前記シールド部材が挿入され、前記シールド部材の端末部は、前記円筒部と前記円筒部に挿入される押圧部材との間に狭持固定されていることを特徴とする。
【００１０】
このシールドコネクタでは、シールド部材の端末部が円筒部と円筒部に挿入される押圧部材との間に狭持固定されているので、シールドシェルとシールド部材との接触部に隙間が形成されることがない。
【００１１】
また、シールド部材は、シールドシェルの円筒部に挿入される押圧部材によって円筒部との間に狭持固定されているので、シールドシェルとシールド部材との接触信頼性を直接的に管理することができる。
【００１２】
従って、このようなシールドコネクタでは、シールド部材の端末部に押圧部材を配置させることによって、シールドシェルとシールド部材との間の防水処理を容易に行うことができ、且つシールドシェルとシールド部材との接触信頼性を確保することができる。
【００１３】
請求項２記載の発明は、請求項１記載のシールドコネクタであって、前記押圧部材は、前記シールド部材の端末部を外周側に向けて折り返された折返部に配置されていることを特徴とする。
【００１４】
このシールドコネクタでは、押圧部材がシールド部材の端末部を外周側に向けて折り返された折返部に配置されているので、シールドシェルの円筒部からのシールド部材の抜けを防止することができる。
【００１５】
請求項３記載の発明は、請求項２記載のシールドコネクタであって、前記シールド部材の外周には、前記円筒部の内周に固定される固定部材が配置され、前記押圧部材は、前記固定部材によって押圧され前記シールド部材を前記円筒部側に押圧することを特徴とする。
【００１６】
このシールドコネクタでは、押圧部材が円筒部に固定される固定部材によって押圧されシールド部材を円筒部側に押圧するので、固定部材によって押圧部材の押圧力を増加させることができ、防水性及び接触信頼性をより確保することができる。加えて、固定部材によって押圧部材の位置ずれを防止することができる。
【発明の効果】
【００１７】
本発明によれば、シールドシェルとシールド部材との間の防水処理を容易に行うことができ、且つシールドシェルとシールド部材との接触信頼性を確保することができるシールドコネクタを提供することができるという効果を奏する。
【図面の簡単な説明】
【００１８】
【図１】本発明の第１実施形態に係るシールドコネクタの斜視図である。
【図２】本発明の第１実施形態に係るシールドコネクタの断面図である。
【図３】本発明の第２実施形態に係るシールドコネクタの斜視図である。
【図４】本発明の第２実施形態に係るシールドコネクタの断面図である。
【図５】本発明の第３実施形態に係るシールドコネクタの押圧部材を組付ける前の模式図である。
【図６】本発明の第３実施形態に係るシールドコネクタの押圧部材を組付けたときの模式図である。
【図７】本発明の第４実施形態に係るシールドコネクタの断面図である。
【発明を実施するための形態】
【００１９】
図１〜図６を用いて本発明の実施の形態に係る防水コネクタについて説明する。
【００２０】
（第１実施形態）
図１，図２を用いて第１実施形態について説明する。
【００２１】
本実施の形態に係るシールドコネクタ１は、円筒部３を有するシールドシェル５と、円筒部３に配置される円筒状のシールド部材７とを備えている。
【００２２】
そして、円筒部３には、内周側にシールド部材７が挿入され、シールド部材７の端末部は、円筒部３と円筒部３に挿入される押圧部材９との間に狭持固定されている。
【００２３】
また、押圧部材９は、シールド部材７を円筒部３側に押圧しシールド部材７を円筒部３に密着させて固定する。詳細には、押圧部材９は、シールド部材７を円筒部３の内周面に向けて加締める加締めリングからなる。
【００２４】
ここで、シールドコネクタ１は、不図示であるが、電線の端末部に接続された端子を収容するハウジングの電線導出部側に組付けられる。このハウジングから導出された電線の外周をシールドコネクタ１で覆うことにより、ノイズなどの侵入や漏洩を防止することができる。以下、このシールドコネクタ１について説明する。
【００２５】
図１，図２に示すように、シールドコネクタ１は、シールドシェル５と、シールド部材７と、押圧部材９とを備えている。
【００２６】
シールドシェル５は、導電性材料からなり、ハウジングの電線導出部側に組付けられる。また、シールドシェル５には、内部に電線が挿通される円筒部３が設けられている。この円筒部３の内周側には、シールド部材７が配置される。
【００２７】
シールド部材７は、シート状に形成された導電性の金属箔からなり、筒状に形成されている。また、シールド部材７は、シールドシェル５の円筒部３の内周に挿入され、ハウジングから導出された電線の外周を覆う。
【００２８】
このシールド部材７は、シールドシェル５に電気的に接続されることにより、電線に対するノイズなどの侵入や漏洩を防止するシールド回路を形成する。このようなシールド部材７は、押圧部材９によってシールドシェル５の円筒部３に固定される。
【００２９】
押圧部材９は、環状に形成された拡径可能な加締めリングからなり、シールド部材７の端末部の内周に挿入される。この押圧部材９は、シールド部材７がシールドシェル５の円筒部３内に挿入された状態で、図２の矢印で示すように、治具（不図示）などによって円筒部３の内周面に向けて拡径するように加締められ、シールド部材７を円筒部３側に押圧し、シールド部材７の外周面を円筒部３の内周面に密着させて固定する。
【００３０】
この押圧部材９の加締めにより、シールドシェル５とシールド部材７とが導通されてシールド回路を形成する。このシールド回路は、円筒部３の内周側に形成されるので、円筒部３の外周側に形成される場合に比較して、ノイズに対するシールド性を向上することができる。
【００３１】
また、シールドシェル５とシールド部材７とは、他の箇所におけるボルト締めのような間接的な接触ではなく、押圧部材９によって直接的に接触されるので、シールドシェル５とシールド部材７との接触信頼性を向上することができる。
【００３２】
さらに、押圧部材９によるシールドシェル５とシールド部材７との接触部は、円筒部３の内周側に位置され、押圧部材９によって密着されているので、水などと接触する機会を低減し、シールドシェル５とシールド部材７との間の隙間の形成が防止され、防水性及び耐腐食性を向上することができる。
【００３３】
このようなシールドコネクタ１では、シールド部材７の端末部が円筒部３と円筒部３に挿入される押圧部材９との間に狭持固定されている、詳細には、シールド部材７の端末部にシールド部材７を円筒部３側に押圧しシールド部材７を円筒部３に密着させて固定する押圧部材９が配置されているので、シールドシェル５とシールド部材７との接触部に隙間が形成されることがない。
【００３４】
また、シールド部材７は、シールドシェル５の円筒部３に挿入される押圧部材９によって円筒部３との間に狭持固定されている、詳細には、押圧部材９によってシールドシェル５の円筒部３に密着されて固定されているので、シールドシェル５とシールド部材７との接触信頼性を直接的に管理することができる。
【００３５】
従って、このようなシールドコネクタ１では、シールド部材７の端末部に押圧部材９を配置させることによって、シールドシェル５とシールド部材７との間の防水処理を容易に行うことができ、且つシールドシェル５とシールド部材７との接触信頼性を確保することができる。
【００３６】
また、押圧部材９は、シールド部材７を円筒部３の内周面に向けて加締める加締めリングからなるので、簡易な構造で防水処理を行うことができると共に、接触信頼性を確保することができる。
【００３７】
（第２実施形態）
図３，図４を用いて第２実施形態について説明する。
【００３８】
本実施の形態に係るシールドコネクタ１０１は、押圧部材１０３は、シールド部材７の端末部を外周側に向けて折り返された折返部１０５に配置されている。
【００３９】
また、シールド部材７の外周には、円筒部３の内周に固定される固定部材１０７が配置され、押圧部材１０３は、固定部材１０７によって押圧されシールド部材７を円筒部３側に押圧する。
【００４０】
さらに、押圧部材１０３は、シールド部材７を円筒部３の内周面に向けて押圧する弾性部材としてのゴムパッキンからなる。
【００４１】
なお、第１実施形態と同一の構成には、同一の記号を記して構成及び機能説明は第１実施形態を参照するものとし省略するが、第１実施形態と同一の構成であるので、得られる効果は同一である。
【００４２】
図３，図４に示すように、シールドシェル５の円筒部３は、開口側が基部側より大径に形成され、基部側に段部１０９が形成されている。この段部１０９の側壁には、シールド部材７の端末部に設けられた折返部１０５の端面が当接されている。
【００４３】
シールド部材７の折返部１０５は、シールド部材７の端部を所定長さ外周側に折り返すことによって形成されている。この折返部１０５内には、押圧部材１０３が配置されている。
【００４４】
押圧部材１０３は、環状に形成された弾性変形可能な弾性部材としてのゴムパッキンからなり、折返部１０５に周囲を覆われるように折返部１０５に配置されている。この押圧部材１０３は、シールド部材７がシールドシェル５の円筒部３内に挿入された状態で、円筒部３に固定される固定部材１０７によって開口側の側面を押圧されてシールド部材７の折返部１０５を円筒部３側に押圧し、折返部１０５の外周面を円筒部３の内周面に密着させて固定する。
【００４５】
固定部材１０７は、環状に形成され、外周面と円筒部３の内周面との間に形成されたネジ部１１１を介して円筒部３に締結固定される。この固定部材１０７は、ネジ部１１１に締結されることにより、押圧部材１０３を段部１０９の側壁面との間で押圧し、押圧部材１０３を弾性変形させてシールドシェル５とシールド部材７とを密着させて固定する。
【００４６】
この押圧部材１０３の押圧により、シールドシェル５とシールド部材７とが導通されてシールド回路を形成する。このとき、シールドシェル５と固定部材１０７との間には、押圧部材１０３としてのゴムパッキンが配置されているので、シールドシェル５と固定部材１０７との間を確実に防水することができる。
【００４７】
また、押圧部材１０３は、シールド部材７の折返部１０５内に配置されているので、シールド部材７に掛かる円筒部３から抜け出る方向の荷重に対して強度を向上することができる。
【００４８】
このようなシールドコネクタ１０１では、押圧部材１０３がシールド部材７の端末部を外周側に向けて折り返された折返部１０５に配置されているので、シールドシェル５の円筒部３からのシールド部材７の抜けを防止することができる。
【００４９】
また、押圧部材１０３は、円筒部３に固定される固定部材１０７によって押圧されシールド部材７を円筒部３側に押圧するので、固定部材１０７によって押圧部材１０３の押圧力を増加させることができ、防水性及び接触信頼性をより確保することができる。加えて、固定部材１０７によって押圧部材１０３の位置ずれを防止することができる。
【００５０】
さらに、押圧部材１０３は、シールド部材７を円筒部３の内周面に向けて押圧する弾性部材としてのゴムパッキンからなるので、シールドシェル５と固定部材１０７との間を確実に防水することができる。
【００５１】
（第３実施形態）
図５，図６を用いて第３実施形態について説明する。
【００５２】
本実施の形態に係るシールドコネクタ２０１は、押圧部材２０３は、シールド部材７の端末部を外周側に向けて折り返された折返部１０５に配置されている。
【００５３】
また、押圧部材２０３は、円筒部３に圧入され、シールド部材７を円筒部３の内周面に向けて押圧するくさび形状のブッシュからなる。
【００５４】
なお、他の実施形態と同一の構成には、同一の記号を記して構成及び機能説明は他の実施形態を参照するものとし省略するが、他の実施形態と同一の構成であるので、得られる効果は同一である。
【００５５】
図５，図６に示すように、押圧部材２０３は、環状で先細りのくさび状に形成されたブッシュからなり、折返部１０５に周囲を覆われるように折返部１０５に配置され、円筒部３に圧入される。
【００５６】
この押圧部材２０３は、シールド部材７の折返部１０５側がシールドシェル５の円筒部３内に所定長さ挿入された状態で、図５の矢印で示すように、折返部１０５内に向けて挿入されて円筒部３に圧入され、シールド部材７の折返部１０５を円筒部３側に押圧し、折返部１０５の外周面を円筒部３の内周面に密着させて固定する。
【００５７】
このような押圧部材２０３の押圧により、シールドシェル５とシールド部材７とが導通されてシールド回路を形成する。このとき、シールドシェル５とシールド部材７との間には、押圧部材２０３としてのブッシュが配置されているので、シールドシェル５とシールド部材７との間を確実に防水することができる。
【００５８】
また、押圧部材２０３は、シールド部材７の折返部１０５内に配置されているので、シールド部材７に掛かる円筒部３から抜け出る方向の荷重に対して強度を向上することができる。
【００５９】
さらに、押圧部材２０３は、シールドシェル５の円筒部３に圧入されるので、固定部材１０７（図４参照）のような部材を用いる必要がなく、部品点数を削減できると共に、組付性を向上することができる。
【００６０】
このようなシールドコネクタ２０１では、押圧部材２０３がシールド部材７の端末部を外周側に向けて折り返された折返部１０５に配置されているので、シールドシェル５の円筒部３からのシールド部材７の抜けを防止することができる。
【００６１】
また、押圧部材２０３は、円筒部３に圧入され、シールド部材７を円筒部３の内周面に向けて押圧するくさび形状のブッシュからなるので、防水性及び接触信頼性を確保しつつ、部品点数を削減できると共に、組付性を向上することができる。
【００６２】
（第４実施形態）
図７を用いて第４実施形態について説明する。
【００６３】
本実施の形態に係るシールドコネクタ３０１は、押圧部材３０３は、シールドシェル５の円筒部３に挿入され、シールド部材７の端末部は、円筒部３と押圧部材３０３との間に配置され、円筒部３を押圧部材３０３側に向けて加締めることによりシールド部材７を円筒部３と押圧部材３０３との間に密着させて狭持固定されている。
【００６４】
なお、第１実施形態と同一の構成には、同一の記号を記して構成及び機能説明は第１実施形態を参照するものとし省略するが、第１実施形態と同一の構成であるので、得られる効果は同一である。
【００６５】
押圧部材３０３は、環状に形成され外周側から内周側に向けて掛かる外力に対して反力を有する部材からなり、シールド部材７の端末部の内周に挿入され、シールド部材７の端末部が円筒部３と押圧部材３０３との間に配置される。
【００６６】
この押圧部材３０３は、シールド部材７がシールドシェル５の円筒部３内に挿入された状態で、図７の矢印で示すように、治具（不図示）などによって円筒部３が押圧部材３０３側に向けて加締められることによる反力によって、シールド部材７を円筒部３側に押圧し、シールド部材７の外周面を円筒部３の内周面に密着させて固定する。
【００６７】
このシールドシェル５の円筒部３の加締めにより、シールドシェル５とシールド部材７とが導通されてシールド回路を形成する。このシールド回路は、円筒部３の内周側に形成されるので、円筒部３の外周側に形成される場合に比較して、ノイズに対するシールド性を向上することができる。
【００６８】
また、シールドシェル５とシールド部材７とは、他の箇所におけるボルト締めのような間接的な接触ではなく、円筒部３の加締めによる押圧部材３０３の反力によって直接的に接触されるので、シールドシェル５とシールド部材７との接触信頼性を向上することができる。
【００６９】
さらに、押圧部材３０３の反力によるシールドシェル５とシールド部材７との接触部は、円筒部３の内周側に位置され、押圧部材３０３によって密着されているので、水などと接触する機会を低減し、シールドシェル５とシールド部材７との間の隙間の形成が防止され、防水性及び耐腐食性を向上することができる。
【００７０】
このようなシールドコネクタ３０１では、シールド部材７の端末部が円筒部３と押圧部材３０３との間に配置され、円筒部３を押圧部材３０３側に向けて加締めることによりシールド部材７を円筒部３と押圧部材３０３との間に密着させて狭持固定されているので、シールドシェル５とシールド部材７との接触部に隙間が形成されることがない。
【００７１】
また、シールド部材７は、円筒部３の加締めによる押圧部材３０３の反力によってシールドシェル５の円筒部３に密着されて固定されているので、シールドシェル５とシールド部材７との接触信頼性を直接的に管理することができる。
【００７２】
従って、このようなシールドコネクタ３０１では、シールド部材７の端末部に押圧部材３０３を配置させることによって、シールドシェル５とシールド部材７との間の防水処理を容易に行うことができ、且つシールドシェル５とシールド部材７との接触信頼性を確保することができる。
【００７３】
なお、本発明の実施の形態に係るシールドコネクタでは、シールド部材がシート状に形成された導電性の金属箔となっているが、これに限らず、編み目状に形成された編組導体であってもよい。
【００７４】
また、押圧部材としての加締めリングは、シールド部材の内周側に挿入されているが、これに限らず、シールド部材の折返部に配置させ、円筒部の内周面に向けて加締めてもよい。
【００７５】
さらに、シールドシェルの円筒部と固定部材との固定は、ネジ結合となっているが、これに限らず、例えば、凹凸係合と接着、スプライン結合と接着、円筒部に対する固定部材の圧入など、円筒部に固定部材を固定でき、固定部材によって押圧部材を押圧できる構成であれば、どのような形態であってもよい。
【００７６】
また、押圧部材は、加締めリング、ゴムパッキン、ブッシュなどに限らず、シールドシェルとシールド部材との間、或いはシールドシェルと固定部材との間をシールできる部材であればどのような部材であってもよい。
【符号の説明】
【００７７】
１，１０１，２０１，３０１…シールドコネクタ
３…円筒部
５…シールドシェル
７…シールド部材
９，１０３，２０３，３０３…押圧部材
１０５…折返部
１０７…固定部材
【図１】
2014099339.tif 000003
【図２】
2014099339.tif 000004
【図３】
2014099339.tif 000005
【図４】
2014099339.tif 000006
【図５】
2014099339.tif 000007
【図６】
2014099339.tif 000008
【図７】
2014099339.tif 000009